(57)【要約】【課題】装着および取り外しが競技者本人の手で簡単かつ容易に行えると共に、装着後の微調整も競技者本人の手によって適切に行うことができるボディプロテクターを提供する。【解決手段】締着バンド１０，３１は、プロテクタ本体１，３０の左右両側部からそれぞれ伸びた左右一対のものとされて互いに重合し得る関係のもとで重合する間に設けた面ファスナー１１，１２…を介して脱着可能とされ、吊掛バンド２０，３２は、プロテクタ本体１，３０の上部左右対称位置にある２個所から伸びるものとされて、その先端側が締着バンド１０，３１に面ファスナーを介して脱着可能とされている。【選択図】図１
2007282852.tif 000002
【特許請求の範囲】
【請求項１】
面全体が緩衝機能を有し競技者の胸部および腹部を含む上半身前面側から少なくとも両脇下回りに添うようにされるプロテクタ本体と、帯状部材として前記プロテクタ本体の左右各側部から一対をなすように伸びていて、これら左右一対を互いに脱着可能につなぐことにより、前記プロテクタ本体を身体回りに締め付け勝手に保持する締着バンドと、前記プロテクタ本体の上部と前記締着バンドとの間を肩回りから背中側を通して脱着可能につなぎ、前記プロテクタ本体を保持する吊掛バンドとを備えたボディプロテクターにおいて、
前記締着バンドは、前記プロテクタ本体の左右両側部からそれぞれ伸びた左右一対のものとされて、互いに重合し得る関係のもとで重合する間に設けた面ファスナーを介して脱着可能とされ、前記吊掛バンドは、前記プロテクタ本体の上部左右対称位置にある２個所から伸びるものとされて、その先端側が前記締着バンドに面ファスナーを介して脱着可能とされていることを特徴とするボディプロテクター。
【請求項２】
前記吊掛バンドは、前記プロテクタ本体の上部左右対称位置である２個所から伸びた左右一対でそれぞれ別体のものであり、背中にたすき掛け可能とされると共に、前記吊掛バンドの各先端側が、前記締着バンド側に左右対称状をなすべく面ファスナーを介して脱着可能とされている請求項１に記載のボディプロテクター。
【請求項３】
前記吊掛バンドは、前記プロテクタ本体の上部左右対称位置である２個所から伸びた左右一対の上部と、これら上部から伸びた単一本からなる下部とからなり、この下部先端が前記締着バンド側に面ファスナーを介して脱着可能とされている請求項１に記載のボディプロテクター。
【請求項４】
前記締着バンドには、前記吊掛バンドのそれぞれ先端側を通して折り返し可能な掛通し部が設けられていて、この掛通し部に通した後、前記面ファスナーを介して脱着可能とされている請求項２又は３記載のボディプロテクター。
【発明の詳細な説明】
【技術分野】
【０００１】
本発明はボディプロテクターに関し、詳しくは、ボクシングや空手あるいはテコンドー、キックボクシング等の格闘技を行う際に使われるボディプロテクターに係り、特に競技者上半身前面を覆うようにして装着しておくことにより、格闘技の競技中に競技者の上半身を有効に防護するためのボディプロテクターに関する。
【背景技術】
【０００２】
近年、空手やテコンドー等の試合や練習の際、競技者の身体、特に上半身をときとして加えられる相手の突きや蹴りから防護するために、図５に示す格闘技用のボディプロテクターなどが用いられる。図５は、競技者Ｍ(図では背部からみている)にボディプロテクターを装着した際の様子を示すもので、このボディプロテクターは、凸形で表裏２枚の布製カバー４０を縦横に仕切り、その内部にクッション材である緩衝材４１を配備してなるプロテクタ本体４２を備え、このプロテクタ本体４２を、胸部および腹部である上半身前面から両脇下回りを経て背中両側まで到るように、その全体に添わせるように装着される。そのため、同プロテクタ本体４２には、後ろ回りに締着バンド４３を備えるとともに本体４２の上部と後ろ回り個所との間に吊掛バンド４４を備えて、これらを脱着可能に構成することにより、個々の競技者Ｍの体形に合った状態でプロテクタ本体４２を装着できるようにしてある。
【発明の開示】
【発明が解決しようとする課題】
【０００３】
しかしながら、図５に示すボディプロテクターは、締着バンド４３および吊掛バンド４４が競技者Ｍの背中における手締めにより装着される方式とされていたため、必ず競技者Ｍ以外の他人の手を借りなければ装着ができず、しかも、競技を終えたあとも、他人の手を借りなければ取り外すことができないという不都合があった。また、他人により装着されるため、不具合があってもそれをより適切な状態に微調整することもでき難いものであった。
【０００４】
そこで、本発明は上記従来技術の有する問題点に鑑みてなされたもので、その課題は、装着および取り外しが競技者本人の手で簡単かつ容易に行えると共に、装着後の微調整も競技者本人の手によって適切に行うことができるボディプロテクターを提供することにある。
【課題を解決するための手段】
【０００５】
上記課題は、請求項記載の発明により達成される。すなわち、本発明に係るボディプロテクターは、面全体が緩衝機能を有し競技者の胸部および腹部を含む上半身前面側から少なくとも両脇下回りに添うようにされるプロテクタ本体と、帯状部材として前記プロテクタ本体の左右各側部から一対をなすように伸びていてこれら左右一対を互いに脱着可能につなぐことでプロテクタ本体を身体回りに締め付け勝手に保持する締着バンドと、前記プロテクタ本体の上部と前記締着バンドとの間を肩回りから背中側を通して脱着可能につなぎプロテクタ本体を保持する吊掛バンドとを備えたボディプロテクターにおいて、前記締着バンドは、前記プロテクタ本体の左右両側部からそれぞれ伸びた左右一対のものとされて互いに重合し得る関係のもとで重合する間に設けた面ファスナーを介して脱着可能とされ、前記吊掛バンドは、前記プロテクタ本体の上部左右対称位置にある２個所から伸びるものとされてその先端側が前記締着バンドに面ファスナーを介して脱着可能とされていることを特徴とする。
【０００６】
この構成によれば、ボディプロテクターを装着するときは、予め吊掛バンドを肩回りから後ろに回して前記締着バンドに面ファスナーを介して所定長さにセットしておき、次に吊掛バンドと締着バンドとから形成される環部内に両手を通し、その後、プロテクタ本体を上半身前面に添わせるようにして、その両側に伸びる締着バンドを後ろに回して重ね合わせて引き締めながら面ファスナーによりセットする。これらの装着は、面ファスナーを使って全て競技者本人の手によってワンタッチで行えるだけでなく、装着後にあっても競技者本人の手で面ファスナーを外したり再セットしたりすることにより、微調整が簡単かつ容易にできて、より競技者自身の体形に合った適切な状態を得ることができる。
【０００７】
前記吊掛バンドは、前記プロテクタ本体の上部左右対称位置である２個所から伸びた左右一対でそれぞれ別体のものであり、背中にたすき掛け可能とされると共に、前記吊掛バンドの各先端側が、前記締着バンド側に左右対称状をなすべく面ファスナーを介して脱着可能とされていることが好ましい。
【０００８】
この構成によれば、吊掛バンドをたすき掛けにして左右対称をなすべく面ファスナーで締着バンド側に装着することができて、締着バンドを左右バランス良く吊り持つことができ、したがって、競技中におけるプロテクタ本体のずれが防止されて、常時適切な初期装着状態を保つことができる。
【０００９】
前記吊掛バンドは、前記プロテクタ本体の上部左右対称位置である２個所から伸びた左右一対の上部と、これら上部から伸びた単一本からなる下部とからなり、この下部先端が前記締着バンド側に面ファスナーを介して脱着可能とされていることが好ましい。
【００１０】
この構成によれば、吊掛バンドの下部を一方の締着バンドに面ファスナーにより装着した状態にしておいて、一対の上部とプロテクタ本体上部とで形成される環部を通じてボディプロテクターを首回りに掛け、その後、他方の締着バンドを前記一方の締着バンドに面ファスナーによりセットすれば、競技者本人の手によって簡単確実にボディプロテクターを装着することができる。なお、締着バンドの一対を先にセットしておいてあとで吊掛バンドをこの締着バンドにセットすることも自由である。
【００１１】
前記締着バンドには、前記吊掛バンドのそれぞれ先端側を通して折り返し可能な掛通し部が設けられていて、この掛通し部に通した後、前記面ファスナーを介して脱着可能とされていることがより好ましい。
【００１２】
この構成によれば、吊掛バンドを掛通し部に通して持ち上げ、そのうえで面ファスナーにより吊掛バンドをセットするようにすることができ、これにより、締着バンドを持ち上げた状態にして、プロテクタ本体をより引き締めた状態で装着することができる。
【発明を実施するための最良の形態】
【００１３】
本発明の実施形態を、図面を参照して詳細に説明する。
【００１４】
＜第１実施形態＞
図１は、第１実施形態に係るボディプロテクターを非装着状態で示す前方からの斜視図、図２は、第１実施形態のボディプロテクターの第１段階の装着状況を示す背面図、図３は第１実施形態のボディプロテクターの第２段階の装着状況を示す背面図である。なお、第１実施形態のボディプロテクターが使われる格闘技としては、ボクシングや空手あるいはテコンドー、キックボクシング等を例示できるが、これらに限定されない。
【００１５】
第１実施形態のボディプロテクターは、前面からみて凸形で扁平状をしたプロテクタ本体１と同本体１の左右両脇から伸びた一対の締着バンド１０とを備えると共に、プロテクタ本体１の上部から、それぞれ別バンドとして伸びた左右一対をなす吊掛バンド２０から一体に構成されている。そして、このボディプロテクターは金具を使用しないので、安心して使用できる。
【００１６】
プロテクタ本体１と締着バンド１０とは、図１の方向から見える表カバー２とその反対側の裏カバーとを備え、これらはリバーシブルタイプであるので、その際、前記表カバー２は裏カバーに前記裏カバーは表カバーとなる関係にある。これら表裏のカバーは、軟質樹脂シートをカッティングして全体が１枚シート状に形成されていてもよいし、布地材や他の被覆材を使ってもよく、更には、複数枚のシートを縫製などにより接合して形成されていてもよい。また、同カバーは汗取りなどのため多孔質としたり一部あるいは全面をメッシュ状にしたりしてもよい。表裏のカバーは、止め縁３により外周縁が止め付けられていると共に、中央のよろい型をした部分には、左右幅方向に複数個の主緩衝材４（図１で一部破断して示す）が同時装填されている。これら主緩衝材４は、矩形縦長状をしており、幅方向に複数列に亘って形成した主装填部５で包み込まれていると共に、これら主緩衝材４入りの主装填部５は、折れ曲がり部６を介して前後にそれぞれ曲がり得るようになっている。なお、前記主装填部５は、中央の主装填部５の縦中心線を基準にして、全て左右対称に配置されている。
【００１７】
プロテクタ本体１の主装填部５よりも上側には、胸部を防護するため上側装填部７が横長状に形成されて、同じく内部に緩衝材（図示省略）が装填して形成されていると共に、プロテクタ本体１の下端部には補助緩衝材８が装填されている。なお、上側装填部７は、主装填部５の複数個のブロックにわたるように横長状になっているが、例えば、中央の主装填部５の両脇に相当する折れ曲がり部６，６の延長線上にくるように、独自に折れ曲がり部を備えて折れ曲がり可能に構成してもよい。これによれば、主装填部５…の折れ曲がりがより自在化しボディプロテクターの身体へのフィット性が向上する。なお、比較的軟質の緩衝材を使用する場合には、複数のブロックとして構成する必要はない。これら緩衝材４，８は、樹脂製の高弾性発泡材の両面を、樹脂製の高衝撃吸収性高密度発泡材で挟持して積層した構成となっていることが好ましい。高弾性発泡材としては、例えば、軟質スチレン系エラストマー架橋発泡材などのゴム弾性発泡材を用いることができ、高衝撃吸収性高密度発泡材としては、例えば、高密度ポリウレタンフォームであることが好ましく、メモリーフォーム（ボールリバウンド率５〜１０％（衝撃吸収率９０〜９５％）。発売元：山光油業（株））が特に好ましい。
【００１８】
こうしたプロテクタ本体１の上部は、左右対称関係で２葉をなす上部帯片９が一体に突設されており、これら上部帯片９をそれぞれ介して前記吊掛バンド２０が取り付けられている。各吊掛バンド２０は同じ長さの帯体でその先端には第１面ファスナー２１が設けられ、同面ファスナー２１と逆面となる側には第２面ファスナー２２が設けられている。これら両面ファスナー２１，２２は、先端の第１面ファスナー２１をＵ状に折り曲げることで係着する関係にある。
【００１９】
前記締着バンド１０は、プロテクタ本体１の両脇から一体に伸びて構成されており、これら締着バンド１０，１０は左右対称の関係にある。ここで、図１の右側の締着バンド１０に符号（Ａ）を付し、左側の締着バンド１０に符号（Ｂ）を付して表示する（符号１０で代表して表示することもある）。各締着バンド１０（Ａ）、（Ｂ）は、先細り状（一様幅状であってもよい）に形成されると共に、その一方の表面（図１の右側の表面）には、プロテクタ本体１の端部からバンド先端にわたるように、帯長状をした内側面ファスナー１１が設けられていて、他方の裏面（図１の左側の裏面）には、同じくプロテクタ本体１の端部からバンド先端にわたるように、帯長状をした外側面ファスナー１２が設けられている。また、各面ファスナー１１，１２の上縁先端側には、締着バンド１０から上方へ突き出して臨む形の掛通し部１３が設けられている。
【００２０】
以上に説明した第１実施形態のボディプロテクターを装着するとき、背面からみた図２に示すように、掛通し部１３，１３が左右対称位置に対応しているので、２本の吊掛バンド２０のうちの１本を、後ろ斜め回しにして一方の掛通し部１３に掛け通して後、やや引き勝手にし、その後第１、第２面ファスナー２１，２２により、末端部を止め付けるようにする。残る他方の吊掛バンド２０も同様にして止め付けるようにすれば、プロテクタ本体１が上向きに引かれて、全体的に身体にフィットした状態を得ることができる。
【００２１】
前記第１、第２面ファスナー２１，２２により末端部を止め付けた後は、吊掛バンドと締着バンドとから形成される環部内に両手を通し、その後、プロテクタ本体を上半身前面に添わせるようにして、その両側に伸びる締着バンドを後ろに回して重ね合わせて引き締めながら面ファスナーによりセットする。つまり、競技者Ｍ自身の手によってプロテクタ本体１を胴前面に添う形にして、両締着バンド１０（Ａ），１０（Ｂ）を後ろ回しとする。その際、内側面ファスナー１１を備えた締着バンド１０（Ａ）の方を先に胴部後ろ回りに添わせ、後で外側面ファスナー１２を備えた締着バンド１０（Ｂ）を、プロテクタ本体１が引き締まるように引きながら、締着バンド１０（Ａ）の上に重ね合わせるようにする。そうすると、両面ファスナー１１，１２が係着し合い、両締着バンド１０（Ａ），１０（Ｂ）は、いわゆるワンタッチの操作で強力に連結される。リバーシブルで使用するときは、図１の左側の締着バンド１０（Ｂ）が先で、右側の締着バンド１０（Ａ）がその上に重合するようにして連結される。これら動作が、競技者Ｍ自身の手により全て行える。なお、装着感に今一つ不具合がある場合には、締着バンド１０（Ｂ）を引き剥がして、同バンド１０（Ｂ）を再び引き締めたり緩めたりしながら微調整して後、両面ファスナー１１，１２を係着させれば、事後的な適正化が競技者Ｍ自身の手によって可能となる。
【００２２】
ボディプロテクターを装着して競技を行う際には、両締着バンド１０（Ａ），１０（Ｂ）および両吊掛バンド２０，２０が共に引き勝手で係着されて、プロテクタ本体１が身体前面にしっかりとフィットしており、特に、吊掛バンド２０，２０は左右対称型のたすき掛けで引かれているので、競技中の突きや蹴りなどを受けてもずれ回るおそれがなく、安定した状態を保つ。
【００２３】
ボディプロテクターを取り外すときは、締着バンド１０（Ａ），１０（Ｂ）の方を先に外せば、吊掛バンド２０を外すまでもなく、そのまま両腕を抜くようにして抜脱することができる。そのことから、逆に、吊掛バンド２０を連結状態のままで、締着バンド１０（Ａ），１０（Ｂ）を分離したフリーの状態にしたボディプロテクターを、そのまま装着できる。すなわち、両吊掛バンド２０を肩掛けし、フリーな両締着バンド１０（Ａ），１０（Ｂ）を引き締めるようにして係着・連結すれば、ワンタッチで装着が完了する。もっとも、第１面ファスナー２１を第２面ファスナー２２から外して掛通し部１３から吊掛バンド２０の先端部を抜くことにより、両吊掛バンド２０，２０を外し、一方の締着バンド１０（Ｂ）を他方の締着バンド１０（Ａ）から外すことにより完全に取り外すようにしてもよい。
【００２４】
なお、図２に仮想線２０（Ａ）で示すように、吊掛バンドは、締着バンド１０（Ｂ）あるいは（Ａ）に面ファスナーにより、直接係着自在に構成してもよい。この場合、掛通し部１３への掛け通しあるいは抜脱操作が簡易化する。また、吊掛バンドは、図２に仮想線２０（Ｂ）で示すように、プロテクタ本体１の左右両脇個所へ直接係着、あるいは前記掛通し部１３を介して係着できるようにしてもよい。この場合、手が回りやすく装着が楽で、調整も簡単確実に行えるようになる。
【００２５】
さらに、前記吊掛バンド２０は、当初から別バンド方式になっていたが、交差部分を予め連結したＸ字形で、その上端がプロテクタ本体１の上部につながれ、下端が締着バンド１０側に面ファスナーで脱着する方式にしてもよい。なお、前記別バンド方式の場合、後ろからみて縦向きで、互いに平行な吊掛バンドとしたり後ろからみて、ハの字になる吊掛バンドとしたりすることもできる。
【００２６】
＜第２実施形態＞
図４は、第２実施形態のボディプロテクターを非装着状態で示す背面図であり、プロテクタ本体３１は第１実施形態のものと同様であるが、３１（Ａ）と３１（Ｂ）の一対で構成された締着バンド３１は、前記掛通し部１３を備えていない点が異なる。吊掛バンド３２については、上部３２ａが２本でＵ字形とされて首掛け式とされている点と、その下部３２ｂを単一本にまとめた点に、前記実施形態と相違する。ここで、吊掛バンド３２は、Ｙ字形をなしている。
【００２７】
この第２実施形態のボディプロテクターを装着するには、吊掛バンド３２の下部をその裏面に設けた面ファスナー３２ｃをもって締着バンド３０（Ａ）の第１面ファスナー３３上に係着させておき、あるいは面ファスナー３２ｃによらず、予め吊掛バンド３０の下部をつないで連結しておき、その状態で上部３２ａ内に頭を通して肩上に掛かるようにする。吊掛バンド３２と右側の締着バンド３１（Ａ）は競技者の背面にきているので、左側の締着バンド３１（Ｂ）をその上に係着させれば装着は完了する。したがって、この第２実施形態によれば、肩に掛ける操作と一方の自由な締着バンド３１（Ｂ）を他方の締着バンド３１（Ａ）に係着するだけで装着が済むので、競技者自身で非常に簡単に装着ができるだけでなく、取り外しも非常に楽にできるものとなる。
【００２８】
なお、前記吊掛バンド３２の下部には、裏面に面ファスナー３２ｃが設けられているが、表面にも面ファスナーを設けておけば、同面ファスナーが図４の左側の第２面ファスナー３４が係着して、吊掛バンド３２がしっかりと締着バンド３０側に連結された状態を得ることができる。
【００２９】
また、図４に仮想線で示すように、吊掛バンド３２はＵ字形としたり、Ｖ字形としたりしてもよい。これらの場合、ボディプロテクターの装着安定度向上のため、左右対称型とすることが好ましい。
【図面の簡単な説明】
【００３０】
【図１】本発明の第１実施形態に係るボディプロテクターを非装着状態で示す前方からの一部破断斜視図
【図２】図１のボディプロテクターの第１段階の装着状況を示す背面図
【図３】図１のボディプロテクターの第２段階の装着状況を示す背面図
【図４】本発明の第２実施形態のボディプロテクターを非装着状態で示す背面図
【図５】ボディプロテクターの従来技術の一例を装着状態で示す背面図
【符号の説明】
【００３１】
１，３０          プロテクタ本体
１０，３１        締着バンド
１３              掛通し部
２０，３２        吊掛バンド
１１，１２，２１，２２，３２ａ，３３，３４  面ファスナー
【図１】
2007282852.tif 000003
【図２】
2007282852.tif 000004
【図３】
2007282852.tif 000005
【図４】
2007282852.tif 000006
【図５】
2007282852.tif 000007